(57)【要約】【課題】印影画像における階調の表現を適正に行う。【解決手段】画像処理装置１００であって、取得された画像データに対して二値化処理を行って、表示用画像データを生成する表示用画像生成部５ｃと、取得された画像データの各画素の画素値を、印影画像と印影とで対応する各画素の画素値の変化情報に基づいて調整する画素値調整部５ｄと、画素値が調整された画像データに対して二値化処理を行って、表示用画像データに対応する印影画像データを生成する印影画像生成部５ｅと、を備えている。【選択図】図１
2016170739.tif 000002
【特許請求の範囲】
【請求項１】
取得された画像データに対して二値化処理を行って、表示用画像データを生成する第１生成手段と、
前記取得された画像データの各画素の画素値を、印影画像と印影とで対応する各画素の画素値の変化情報に基づいて調整する調整手段と、
前記調整手段により画素値が調整された画像データに対して二値化処理を行って、前記表示用画像データに対応する印影画像データを生成する第２生成手段と、
を備えたことを特徴とする画像処理装置。
【請求項２】
前記調整手段は、前記変化情報に基づいて前記印影の画素値の変化の逆特性のトーンマッピング処理を前記取得された画像データに対して行って、当該画像データの各画素の画素値を調整することを特徴とする請求項１に記載の画像処理装置。
【請求項３】
前記取得された画像データの各画素の画素値を、前記印影の階調として表現可能な範囲内の画素値に変換する変換手段を更に備え、
前記第１生成手段は、前記変換手段により画像値が変換された画像データに対して二値化処理を行って、表示用画像データを生成し、
前記調整手段は、前記変換手段により画像値が変換された画像データの各画素の画素値を前記変化情報に基づいて調整することを特徴とする請求項１又は２に記載の画像処理装置。
【請求項４】
前記変化情報は、
画像データに対する二値化処理を行うことで生成された印影画像データと、当該印影画像データに基づいて生成された印章を記憶媒体上に押印した印影とで対応する画素の画素値の変化に係る情報を含むことを特徴とする請求項１〜３の何れか一項に記載の画像処理装置。
【請求項５】
前記二値化処理は、誤差拡散法を用いた処理を含むことを特徴とする請求項１〜４の何れか一項に記載の画像処理装置。
【請求項６】
画像処理装置を用いた画像処理方法であって、
取得された画像データに対して二値化処理を行って、表示用画像データを生成するステップと、
前記取得された画像データの各画素の画素値を、印影画像と印影とで対応する各画素の画素値の変化情報に基づいて調整するステップと、
画素値が調整された画像に対して二値化処理を行って、前記表示用画像データに対応する印影画像データを生成するステップと、
を含むことを特徴とする画像処理方法。
【請求項７】
画像処理装置のコンピュータを、
取得された画像データに対して二値化処理を行って、表示用画像データを生成する第１生成手段、
前記取得された画像データの各画素の画素値を、印影画像と印影とで対応する各画素の画素値の変化情報に基づいて調整する調整手段、
前記調整手段により画素値が調整された画像データに対して二値化処理を行って、前記表示用画像データに対応する印影画像データを生成する第２生成手段、
として機能させることを特徴とするプログラム。
【発明の詳細な説明】
【技術分野】
【０００１】
本発明は、画像処理装置、画像処理方法及びプログラムに関する。
【背景技術】
【０００２】
従来、画像に対して二値化処理を施して二値化画像を生成し、この二値化画像を用いて印影画像を生成する手法が知られている（例えば、特許文献１参照）。また、印影画像に対応するパターンをインク浸透性の版材に形成し、インクを含浸させて紙等の記憶媒体にスタンプとして押印するものが知られている（例えば、特許文献２参照）。
【先行技術文献】
【特許文献】
【０００３】
【特許文献１】特開２０１５−３５６８２号公報
【特許文献２】特開２０１４−１３３３３１号公報
【発明の概要】
【発明が解決しようとする課題】
【０００４】
ところで、実際に押印される印影の仕上がりを予め確認するために表示部に印影画像を表示するものがあるが、表示される印影画像と実際に押印される印影とで中間階調の表現が乖離してしまうといった問題がある。
【０００５】
本発明は、このような問題に鑑みてなされたものであり、本発明の課題は、印影画像における階調の表現を適正に行うことができる画像処理装置、画像処理方法及びプログラムを提供することである。
【課題を解決するための手段】
【０００６】
上記課題を解決するため、本発明に係る画像処理装置は、
取得された画像データに対して二値化処理を行って、表示用画像データを生成する第１生成手段と、
前記取得された画像データの各画素の画素値を、印影画像と印影とで対応する各画素の画素値の変化情報に基づいて調整する調整手段と、
前記調整手段により画素値が調整された画像データに対して二値化処理を行って、前記表示用画像データに対応する印影画像データを生成する第２生成手段と、
を備えたことを特徴としている。
【０００７】
また、本発明に係る画像処理方法は、
取得された画像データに対して二値化処理を行って、表示用画像データを生成するステップと、
前記取得された画像データの各画素の画素値を、印影画像と印影とで対応する各画素の画素値の変化情報に基づいて調整するステップと、
画素値が調整された画像に対して二値化処理を行って、前記表示用画像データに対応する印影画像データを生成するステップと、
を含むことを特徴としている。
【０００８】
また、本発明に係るプログラムは、
画像処理装置のコンピュータを、
取得された画像データに対して二値化処理を行って、表示用画像データを生成する第１生成手段、
前記取得された画像データの各画素の画素値を、印影画像と印影とで対応する各画素の画素値の変化情報に基づいて調整する調整手段、
前記調整手段により画素値が調整された画像データに対して二値化処理を行って、前記表示用画像データに対応する印影画像データを生成する第２生成手段、
として機能させることを特徴としている。
【発明の効果】
【０００９】
本発明によれば、印影画像における階調の表現を適正に行うことができる。
【図面の簡単な説明】
【００１０】
【図１】本発明を適用した一実施形態の画像処理装置の概略構成を示すブロック図である。
【図２】図１の画像処理装置に記憶されている画素値変化情報の一例を説明するための図である。
【図３】図１の画像処理装置による印影情報生成処理に係る動作の一例を示すフローチャートである。
【図４】図３の印影情報生成処理にて生成された印影情報に基づいて作成された印章の使用状態を模式的に示す図である。
【発明を実施するための形態】
【００１１】
以下に、本発明について、図面を用いて具体的な態様を説明する。ただし、発明の範囲は、図示例に限定されない。
図１は、本発明を適用した一実施形態の画像処理装置１００の概略構成を示すブロック図である。
【００１２】
画像処理装置１００は、例えば、パーソナルコンピュータやワークステーションなどのコンピュータ、スマートフォンや携帯電話機等の携帯端末が備えるコンピュータ等により構成され、図１に示すように、中央制御部１と、メモリ２と、記憶部３と、操作入力部４と、印影情報処理部５と、表示部６と、表示制御部７と、通信制御部８とを備えている。
また、中央制御部１、メモリ２、記憶部３、印影情報処理部５、表示制御部７及び通信制御部８は、バスライン９を介して接続されている。
【００１３】
中央制御部１は、画像処理装置１００の各部を制御するものである。具体的には、中央制御部１は、ＣＰＵ（Central Processing Unit；図示略）等を備え、画像処理装置１００用の各種処理プログラム（図示略）に従って各種の制御動作を行う。
【００１４】
メモリ２は、例えば、ＤＲＡＭ（Dynamic Random Access Memory）等により構成され、中央制御部１、印影情報処理部５等によって処理されるデータ等を一時的に記憶するバッファメモリや、中央制御部１などのワーキングメモリ、当該画像処理装置１００の機能に係る各種プログラムやデータが格納されたプログラムメモリ等（何れも図示略）を備えている。
【００１５】
記憶部３は、例えば、不揮発性メモリ（フラッシュメモリ）等により構成され、中央制御部１の動作に必要な各種プログラムやデータ（図示略）を記憶している。
【００１６】
具体的には、記憶部３は、画像情報３ａを記憶している。
画像情報３ａは、記憶媒体Ｐ（図４参照）に押印される印影Ｓｉを形成するための印画像に対応する情報である。印画像としては、例えば、各種のキャラクタ、文字、図形、記号、写真等に対応する画像が挙げられるが、一例であってこれらに限られるものではなく、印影Ｓｉを形成可能な画像であれば如何なるものであっても良い。
【００１７】
また、記憶部３は、画素値変換情報３ｂを記憶している。
画素値変換情報３ｂは、印画像の画像情報３ａに対して、例えば、誤差拡散法を用いた二値化処理を行って印影画像の画像情報を生成し、当該画像情報に基づいて印章Ｓを作成して所定の記憶媒体に押印した印影Ｓｉをスキャンすることで特定された、当該印影Ｓｉの階調を表現可能な範囲内の画素値（例えば、輝度値等）に係る情報である。
具体的には、画素値変換情報３ｂは、例えば、入力レベルと出力レベルとを対応付けたルックアップテーブル等により構成され、２５６階調のグレースケール画像を印画像として用いて印章Ｓを作成する。そして、押印された印影Ｓｉをスキャンすることで特定された各画素の輝度値が「２０３」〜「２３３」の範囲内で階調を表現可能であると判断される場合、画素値変換情報３ｂは、処理対象として入力される印画像の輝度値「０」〜「２５５」を「２０３」〜「２３３」の範囲の輝度値に変換して出力するトーンカーブ処理に係る情報である。
【００１８】
また、記憶部３は、画素値変化情報３ｃを記憶している。
画素値変化情報３ｃは、印影画像と印影Ｓｉとで対応する各画素の画素値の変化に係る情報である。すなわち、画素値変化情報３ｃは、印画像の画像情報３ａに対して、例えば、誤差拡散法を用いた二値化処理を行って生成した印影画像の画像情報の各画素の画素値（例えば、輝度値等）と、印影画像の画像情報に基づいて印章Ｓを作成して所定の記憶媒体に押印した印影Ｓｉをスキャンすることで特定された当該印影Ｓｉの各画素の画素値とを対応するものどうしで比較した際の画素値の変化に係る情報である。また、画素値変化情報３ｃは、上記した画素値変換情報３ｂと同様に、印影Ｓｉの階調を表現可能な範囲内の画素値に係る情報であっても良い。
例えば、図２に示すように、元画像としての印影画像の各画素の輝度値と、所定の記憶媒体に押印した印影Ｓｉの各画素をスキャンした輝度値の平均値（スキャン値）との対応関係が表されている。図２の場合、印影画像の各画素の輝度値が「１２８」〜「１９２」で、印影Ｓｉの各画素の輝度値（スキャン値）が「２０３」〜「２３３」の範囲内で階調を表現可能であると考えられる。
【００１９】
なお、上記した画素値変換情報３ｂや画素値変化情報３ｃの内容は、一例であってこれに限られるものではなく、適宜任意に変更可能である。例えば、画素値変換情報３ｂや画素値変化情報３ｃは、二値化処理の内容に応じて規定されていても良いし、印章Ｓが押印される記憶媒体Ｐの種類に応じて規定されていても良いし、印章Ｓの版に浸透させるインクの種類や色等に応じて規定されていても良い。
【００２０】
操作入力部４は、例えば、数値、文字等を入力するためのデータ入力キーや、データの選択、送り操作等を行うための上下左右移動キーや各種機能キー等によって構成されるキーボードやマウス等の操作部（図示略）を備え、これらの操作部の操作に応じて所定の操作信号を中央制御部１に出力する。
【００２１】
印影情報処理部５は、画像取得部５ａと、画素値変換部５ｂと、表示用画像生成部５ｃと、画素値調整部５ｄと、印影画像生成部５ｅとを具備している。
なお、印影情報処理部５の各部は、例えば、所定のロジック回路から構成されているが、当該構成は一例であってこれに限られるものではない。
【００２２】
画像取得部５ａは、印画像に対応する画像情報３ａを取得する。
すなわち、画像取得部５ａは、印章Ｓの印影Ｓｉを形成するための印画像に対応する画像情報３ａを取得する。具体的には、画像取得部５ａは、例えば、記憶部３に記憶されている所定数の画像情報３ａの中で、ユーザによる操作入力部４の所定操作に基づいて指定されたユーザ所望の印画像の画像情報３ａを処理対象として取得する。
なお、画像取得部５ａは、通信制御部８を介して接続された外部機器（図示略）から画像情報３ａを取得しても良いし、図示しない撮像部により撮像された被写体の画像情報３ａを取得しても良い。
【００２３】
画素値変換部５ｂは、画像取得部５ａにより取得された印画像の各画素の画素値を変換する。
すなわち、画素値変換部（変換手段）５ｂは、印画像に対応する画像情報３ａの各画素の画素値（例えば、輝度値）を、印影Ｓｉの階調として表現可能な範囲内の画素値に変換する。具体的には、画素値変換部５ｂは、記憶部３から画素値変換情報３ｂを読み出して取得し、画像取得部５ａにより取得された印画像の画像情報３ａの各画素に対して輝度値を変換するトーンカーブ処理を施すことで、印影Ｓｉの階調を表現可能な範囲内の輝度値（例えば、「２０３」〜「２３３」等）に変換する。
【００２４】
表示用画像生成部５ｃは、表示用画像を生成する。
すなわち、表示用画像生成部（第１生成手段）５ｃは、画像取得部５ａにより取得された印画像に対応する画像情報（画像データ）３ａに対して二値化処理を行って、表示用画像の画像情報（表示用画像データ）を生成する。具体的には、表示用画像生成部５ｃは、画素値変換部５ｂにより印影Ｓｉの階調として表現可能な範囲内の輝度値に変換された画像の各画素に対して、例えば、誤差拡散法を用いた二値化処理を行って、表示用画像の画像情報を生成する。
なお、誤差拡散法を用いた二値化処理は、公知の技術であるので、ここでは詳細な説明は省略する。また、誤差拡散法は一例であってこれに限られるものではなく、誤差拡散法以外の手法を用いた二値化処理であっても良い。
【００２５】
画素値調整部５ｄは、画像取得部５ａにより取得された印画像の各画素の画素値を調整する。
すなわち、画素値調整部（調整手段）５ｄは、印画像に対応する画像情報３ａの各画素の画素値（例えば、輝度値）を、画素値変化情報３ｃに基づいて調整する。具体的には、画素値調整部５ｄは、記憶部３から画素値変化情報３ｃを読み出して取得し、印影Ｓｉの各画素をスキャンした輝度値の変化の逆特性のトーンマッピング処理を、画素値変換部５ｂにより印影Ｓｉの階調として表現可能な範囲内の輝度値に変換された画像情報に対して行って、当該画像の各画素の画素値を調整する。
【００２６】
印影画像生成部５ｅは、印影画像を生成する。
すなわち、印影画像生成部（第２生成手段）５ｅは、画素値調整部５ｄにより画素値が調整された画像情報（画像データ）に対して二値化処理を行って、表示用画像に対応する印影画像の画像情報（印影画像データ）を生成する。具体的には、印影画像生成部５ｅは、画素値調整部５ｄにより画素値変化情報３ｃに基づいて印影Ｓｉの各画素をスキャンした輝度値の変化の逆特性のトーンマッピング処理が施された画像に対して、例えば、誤差拡散法を用いた二値化処理を行って、印影画像の画像情報を生成する。生成された印影画像の画像情報は、印影情報として通信制御部８を介して印章作成装置２００に出力される。
なお、誤差拡散法は一例であってこれに限られるものではなく、誤差拡散法以外の手法を用いた二値化処理であっても良い。
【００２７】
表示部６は、例えば、ＬＣＤ（Liquid Crystal Display）、ＣＲＴ（Cathode Ray Tube）等のディスプレイから構成され、表示制御部７の制御下にて各種情報を表示画面に表示する。
【００２８】
表示制御部７は、表示用データを生成して表示部６の表示画面に表示させる制御を行う。
具体的には、表示制御部７は、例えば、ＧＰＵ（Graphics Processing Unit）やＶＲＡＭ（Video Random Access Memory）等を具備するビデオカード（図示略）を備えている。そして、表示制御部７は、中央制御部１からの表示指示に従って、印影情報生成処理にて各種画面の表示用データをビデオカードによる描画処理によって生成し、表示部６に出力する。
【００２９】
通信制御部８は、例えば、モデム、ターミナルアダプタ等によって構成され、所定の通信ネットワークＮを介して接続された印章作成装置２００との間で情報の通信制御を行う。
具体的には、通信制御部８は、例えば、印影情報生成処理にて生成された印影情報を所定の通信ネットワークＮを介して印章作成装置２００に送信する。
【００３０】
ここで、通信ネットワークＮは、例えば、画像処理装置１００を無線基地局やゲートウェイサーバ（図示略）等を介して外部機器（例えば、印章作成装置２００等）と接続する通信ネットワークである。
また、通信ネットワークＮは、例えば、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００３１】
印章作成装置２００は、画像処理装置１００の通信制御部８から送信された印影情報を受信して、当該印影情報に従って印章Ｓを作成する。
具体的には、印章作成装置２００は、例えば、インク浸透性シートからなる版材の一方の面（印面）に、印影情報に対応する印影Ｓｉが記憶媒体Ｐに押印された状態で左右反転するように彫刻を施すことで、印章Ｓを作成する。具体的には、印章作成装置２００は、例えば、インク浸透性シートからなる版材の版パターン部がインク浸透領域となり、版パターン部以外の領域がインクを浸透させないインク非浸透領域となるように所定の加工を施す。なお、印章Ｓの作成方法については、特開２０１４−１３３３３１号公報に開示されているので、ここでは詳細な説明を省略する。
【００３２】
また、印章作成装置２００は、所定の通信ネットワークＮを介して画像処理装置１００と情報通信可能に接続されたものを例示したが、一例であってこれに限られるものではなく、必ずしも情報通信可能に接続されている必要はない。
すなわち、例えば、画像処理装置１００により生成された印影情報を所定のメモリーカード（図示略）に記憶し、当該メモリーカードを郵送等により印章作成装置２００が設置されている場所まで送付する。そして、印章作成装置２００は、メモリーカードに記憶されている印影情報を読み出して、当該印影情報に従って印章Ｓを作成するような構成であっても良い。
【００３３】
＜印影情報生成処理＞
次に、画像処理装置１００による印影情報生成処理について、図３及び図４を参照して説明する。
図３は、印影情報生成処理に係る動作の一例を示すフローチャートである。
【００３４】
図３に示すように、先ず、印影情報処理部５の画像取得部５ａは、印章Ｓの印影Ｓｉを形成するための印画像に対応する画像情報３ａを取得する（ステップＳ１）。具体的には、例えば、表示制御部７は、記憶部３に記憶されている所定数の画像情報３ａに対応する画像を表示部６に表示させ、ユーザによる操作入力部４の所定操作に基づいてユーザ所望の画像が指定されると、画像取得部５ａは、指定された画像を印画像として当該印画像に対応する画像情報３ａを取得する。
【００３５】
次に、画素値変換部５ｂは、記憶部３から画素値変換情報３ｂを読み出して取得し、画像取得部５ａにより取得された印画像に対応する画像情報３ａの各画素に対して画素値（例えば、輝度値）を変換するトーンカーブ処理を施すことで、印影Ｓｉの階調として表現可能な範囲内の画素値（例えば、「２０３」〜「２３３」等）に変換する（ステップＳ２）。例えば、画素値変換部５ｂは、印画像に対応する画像情報３ａを構成する何れか一の画素（例えば、左上隅の画素等）を指定して、トーンカーブ処理により画素値を変換する処理を施した後、指定された画素の隣りの画素を指定して、同様の処理を行う。画素値変換部５ｂは、上記の処理を印画像に対応する画像情報３ａを構成する全ての画素について行うようになっている。
【００３６】
続けて、表示用画像生成部５ｃは、画素値変換部５ｂにより印影Ｓｉの階調として表現可能な範囲内の輝度値に変換された画像情報の各画素に対して、例えば、誤差拡散法を用いた二値化処理を行って、表示用画像の画像情報を生成する（ステップＳ３）。そして、表示制御部７は、生成された表示用画像の画像情報を取得して、表示部６に表示用画像を表示させる。
なお、表示用画像生成部５ｃは、例えば、処理対象となる画像を構成する何れか一の画素（例えば、左上隅の画素等）を指定して、二値化処理を施した後、指定された画素の隣りの画素を指定して、同様の処理を行う。表示用画像生成部５ｃは、上記の処理を処理対象となる画像を構成する全ての画素について行うようになっている。
【００３７】
次に、画素値調整部５ｄは、記憶部３から画素値変化情報３ｃを読み出して取得し、画素値変化情報３ｃに基づいて印影Ｓｉの各画素をスキャンした輝度値の変化の逆特性のトーンマッピング処理を、画素値変換部５ｂにより印影Ｓｉの階調として表現可能な範囲内の輝度値に変換された画像情報に対して行って、当該画像情報の各画素の画素値を調整する（ステップＳ４）。
なお、画素値調整部５ｄは、例えば、処理対象となる画像を構成する何れか一の画素（例えば、左上隅の画素等）を指定して、画素値を調整する処理を施した後、指定された画素の隣りの画素を指定して、同様の処理を行う。画素値調整部５ｄは、上記の処理を処理対象となる画像を構成する全ての画素について行うようになっている。
【００３８】
続けて、印影画像生成部５ｅは、画素値調整部５ｄにより画素値が調整された画像情報に対して、例えば、誤差拡散法を用いた二値化処理を行って、印影画像の画像情報を生成する（ステップＳ５）。
なお、印影画像生成部５ｅによる二値化処理は、表示用画像生成部５ｃによる二値化処理と略同様であり、詳細な説明は省略する。
そして、印影画像生成部５ｅは、生成された印影画像の画像情報を印影情報として記憶部３に出力し、記憶部３は、入力された印影情報を所定の記憶領域に記憶して（ステップＳ６）、印影情報生成処理を終了する。
【００３９】
その後、所定のタイミングで、通信制御部８は、印影情報生成処理にて生成された印影情報を記憶部３から読み出して、所定の通信ネットワークＮを介して印章作成装置２００に送信する。
印章作成装置２００により印影情報が受信されると、当該印章作成装置２００は、受信された印影情報に従って印章Ｓ（図４参照）を作成する。
【００４０】
以上のように、本実施形態の画像処理装置１００によれば、処理対象として取得された画像情報の各画素の画素値を、印影画像と印影Ｓｉとで対応する各画素の画素値の画素値変化情報３ｃに基づいて調整し、画素値が調整された画像情報に対して二値化処理を行って、表示用画像に対応する印影画像の画像情報を生成するので、例えば、誤差拡散法を用いた二値化処理にて生成される確認用の表示用画像と実際に押印される印影Ｓｉに係る印影画像とで階調の表現をより等しいものとすることができ、印影画像における階調の表現を適正に行うことができる。特に、写真画像を処理対象として用いた場合等に、階調の表現をより適正に行うことができる。
【００４１】
また、画素値変化情報３ｃは、画像に対する二値化処理を行うことで生成された印影画像の画像情報と、当該印影画像の画像情報に基づいて生成された印章Ｓを記憶媒体Ｐ上に押印した印影Ｓｉとで対応する画素の画素値の変化に係る情報を含んでいる。そして、画素値変化情報３ｃに基づいて印影Ｓｉの画素値の変化の逆特性のトーンマッピング処理を処理対象として取得された画像情報に対して行って、当該画像情報の各画素の画素値を調整するので、画素値が調整された画像情報から生成される印影画像における階調の表現を適正に行うことができる。
【００４２】
さらに、処理対象として取得された画像情報の各画素の画素値を、印影Ｓｉの階調として表現可能な範囲内の画素値（例えば、「２０３」〜「２３３」等）に変換するので、押印された印影Ｓｉが表現することができない、例えば、黒に近い部分や白に近い部分のデータを除外することができる。特に、黒に近い部分のデータを除外することで、押印された印影Ｓｉの黒部分のインクののりを安定させることができ、印影Ｓｉの階調の表現をより適正に行うことができる。そして、画像値が変換された画像情報に対して二値化処理を行って生成される確認用の表示用画像と、画像値が変換された画像情報の各画素の画素値が画素値変化情報３ｃに基づいて調整され、画素値が調整された画像情報に対して二値化処理を行って生成される印影画像とで、表現可能な範囲内の階調の表現をより等しいものとすることができる。
【００４３】
なお、本発明は、上記実施形態に限定されることなく、本発明の趣旨を逸脱しない範囲において、種々の改良並びに設計の変更を行っても良い。
例えば、上記実施形態における画素値調整部５ｄによる印画像の各画素の画素値の調整手法は、一例であってこれに限られるものではなく、適宜任意に変更可能である。
【００４４】
また、画像処理装置１００や印章作成装置２００の構成は、上記実施形態に例示したものは一例であり、これに限られるものではない。例えば、画像処理装置１００と印章作成装置２００とが一体となって構成されたものであっても良い。
【００４５】
加えて、上記実施形態にあっては、第１生成手段、調整手段、第２生成手段としての機能を、画像処理装置１００の中央制御部１の制御下にて、表示用画像生成部５ｃ、画素値調整部５ｄ、印影画像生成部５ｅが駆動することにより実現される構成としたが、これに限られるものではなく、中央制御部１のＣＰＵによって所定のプログラム等が実行されることにより実現される構成としても良い。
すなわち、プログラムを記憶するプログラムメモリに、第１生成処理ルーチン、調整処理ルーチン、第２生成処理ルーチンを含むプログラムを記憶しておく。そして、第１生成処理ルーチンにより中央制御部１のＣＰＵを、取得された画像データに対して二値化処理を行って、表示用画像データを生成する手段として機能させるようにしても良い。また、調整処理ルーチンにより中央制御部１のＣＰＵを、取得された画像データの各画素の画素値を、印影画像と印影Ｓｉとで対応する各画素の画素値の画素値変化情報３ｃに基づいて調整する手段として機能させるようにしても良い。また、第２生成処理ルーチンにより中央制御部１のＣＰＵを、画素値が調整された画像データに対して二値化処理を行って、表示用画像データに対応する印影画像データを生成する手段として機能させるようにしても良い。
【００４６】
同様に、変換手段についても、中央制御部１のＣＰＵによって所定のプログラム等が実行されることにより実現される構成としても良い。
【００４７】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００４８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
取得された画像データに対して二値化処理を行って、表示用画像データを生成する第１生成手段と、
前記取得された画像データの各画素の画素値を、印影画像と印影とで対応する各画素の画素値の変化情報に基づいて調整する調整手段と、
前記調整手段により画素値が調整された画像データに対して二値化処理を行って、前記表示用画像データに対応する印影画像データを生成する第２生成手段と、
を備えたことを特徴とする画像処理装置。
＜請求項２＞
前記調整手段は、前記変化情報に基づいて前記印影の画素値の変化の逆特性のトーンマッピング処理を前記取得された画像データに対して行って、当該画像データの各画素の画素値を調整することを特徴とする請求項１に記載の画像処理装置。
＜請求項３＞
前記取得された画像データの各画素の画素値を、前記印影の階調として表現可能な範囲内の画素値に変換する変換手段を更に備え、
前記第１生成手段は、前記変換手段により画像値が変換された画像データに対して二値化処理を行って、表示用画像データを生成し、
前記調整手段は、前記変換手段により画像値が変換された画像データの各画素の画素値を前記変化情報に基づいて調整することを特徴とする請求項１又は２に記載の画像処理装置。
＜請求項４＞
前記変化情報は、
画像データに対する二値化処理を行うことで生成された印影画像データと、当該印影画像データに基づいて生成された印章を記憶媒体上に押印した印影とで対応する画素の画素値の変化に係る情報を含むことを特徴とする請求項１〜３の何れか一項に記載の画像処理装置。
＜請求項５＞
前記二値化処理は、誤差拡散法を用いた処理を含むことを特徴とする請求項１〜４の何れか一項に記載の画像処理装置。
＜請求項６＞
画像処理装置を用いた画像処理方法であって、
取得された画像データに対して二値化処理を行って、表示用画像データを生成するステップと、
前記取得された画像データの各画素の画素値を、印影画像と印影とで対応する各画素の画素値の変化情報に基づいて調整するステップと、
画素値が調整された画像に対して二値化処理を行って、前記表示用画像データに対応する印影画像データを生成するステップと、
を含むことを特徴とする画像処理方法。
＜請求項７＞
画像処理装置のコンピュータを、
取得された画像データに対して二値化処理を行って、表示用画像データを生成する第１生成手段、
前記取得された画像データの各画素の画素値を、印影画像と印影とで対応する各画素の画素値の変化情報に基づいて調整する調整手段、
前記調整手段により画素値が調整された画像データに対して二値化処理を行って、前記表示用画像データに対応する印影画像データを生成する第２生成手段、
として機能させることを特徴とするプログラム。
【符号の説明】
【００４９】
１００  画像処理装置
１      中央制御部
３      記憶部
５      印影情報処理部
５ｂ    画素値変換部
５ｃ    表示用画像生成部
５ｄ    画素値調整部
５ｅ    印影画像生成部
Ｓ      印章
Ｓｉ    印影
【図１】
2016170739.tif 000003
【図２】
2016170739.tif 000004
【図３】
2016170739.tif 000005
【図４】
2016170739.tif 000006